(57)【要約】【課題】  本考案は、物質の硬度を計測し圧電セラミック振動子にストローク押し圧荷重がかかった時測定の精度が変動する事を軽減し、ストロークジョイントのストローク位置をストローク付きモーター本体で自動制御し圧力押付け面の加重測定を自動的にできるようにするための小型ストローク制御方式硬度計測用プローブを提供する。【解決手段】  本考案は、ストロークジョイントのストローク位置をストローク付きモーター本体で自動制御し圧力押付け面の加重測定を自動的にできるようにし、加重にバラ付きが発生し計測誤差が生じないようにした。また圧電素子にあたる振動子の圧電素子の押し込みや跳ね返りを軽減する為に、振動子ホルダー本体に設けてあるプッシャ−ピンからのプッシャスプリングと圧電セラミック振動子に設けた振動子ホルダースプリングを設け振動子外筒ホルダーに装着し問題点を解決している小型ストローク制御方式硬度計測用プローブである。【選択図】図１
0003137132.tif 000002
【実用新案登録請求の範囲】
【請求項１】
発信回路付きセンサー筺本体の後部側にストローク付きモーター本体を設け、発信回路付きセンサー筺本体の前部側に圧力センサーホルダー本体と圧電セラミック振動子を備えた振動子外筒ホルダーを設け、振動子外筒ホルダーの内部に振動子ホルダー本体に圧力センサー信号線を通す信号線孔を複数に設け、振動子ホルダー本体の前部側に振動子ホルダーを嵌入した振動子ジョイントホルダーを設け、振動子ホルダーと振動子ジョイントホルダーに嵌通するように振動子ホルダースプリングを設け、振動子ホルダー本体の後部側にプッシャ−ピンを冠着するように設けたプッシャーホルダーをプッシャージョイントホルダーに嵌入するように設け、プッシャ−ピンの冠着したプッシャーホルダーに嵌通するようにプッシャスプリングを設け、振動子外筒ホルダーに嵌合するように設け、振動子外筒ホルダーの先端部に設けた圧電セラミック振動子の前面部に先端部筒を嵌合するように設け、先端部筒を振動子外筒ホルダーと固定するように設け、圧力センサー本体の上部に圧力センサー信号線を通す信号線ホルダを設け、圧力センサー本体の正面に圧力押付け面を設けた圧力センサー本体を圧力センサーホルダー凹部内部に係止するように設け、圧力センサーホルダー本体に設けた圧力センサーホルダー凹部に振動子外筒ホルダーに設けた圧力センサーホルダー凸部を嵌合するように設け、ストロークモーター信号配線を備えたストローク付きモーター本体に設けてある止め受けネジ部に締付けナットを持って発信回路付きセンサー筺本体に固定させ、ストローク付きモーター本体に設けてあるジョイントストロークのジョイントネジ溝部にジョイント止めネジ孔にワッシャー並びに止めネジをストロークモータージョイントホルダに継合するように設け、圧力センサーホルダー本体に設けてあるジョイント凸部をストロークモータージョイントホルダに設けてあるジョイント凹部に嵌合するように設けた小型ストローク制御方式硬度計測用プローブ。
【考案の詳細な説明】
【技術分野】
【０００１】    本考案は、発信回路付きセンサー筺本体にストローク付きモーター本体に設けたジョイントストロークの押し込み荷重の伝達により圧力センサーホルダー本体に備えた圧力押付け面に荷重の伝達を送り圧力センサー本体とプッシャ−ピンから振動子ホルダーに設けてある圧電セラミック振動子に荷重の伝達が伝わり圧電セラミック振動子接点部に被測定物体を接触させ圧力センサー信号線より周波数の変化を計測し取出した信号を圧力センサー本体によって感知したデーターを電気信号として圧力センサー信号線に送り出力検出し物質の硬度を計測し圧電セラミック振動子にストローク押し圧荷重がかかったとき測定精度の変動を軽減し、ストロークジョイントのストローク位置をストローク付きモーター本体で自動制御し圧力押付け面の加重測定を自動的にできるようにした小型ストローク制御方式硬度計測用プローブに関するものである。
【背景技術】
【０００２】    モーター駆動部と圧電振動子が一体型に組込まれた計測具はなく、従来は、圧電振動子の付いた手動押し付きセンサー部を手でもって被測定体に押付けていた、従って加重においても手動で加えた方式の検査を用いた。
【考案の開示】
【考案が解決しようとする課題】
【０００３】    その為に次のような問題点があった。
従来は、手動押し圧のため加重にバラ付きが発生し計測誤差が生じ、そのため計測部分が寸法的に大きくなり被測定物の寸法、形状に制限が生じた。また、これまでの規定された硬度試験法には測定面の圧電素子にあたる振動子の圧電素子の押し込みや跳ね返りににもとづくことから、測定面の表面性状によって測定データーが変動しやすく測定に多大な時間と労力を要し装置もまた大形となった。本考案は以上の問題点を解決する為になされたものである。
【課題を解決するための手段】
【０００４】    本考案は、ストロークジョイントのストローク位置をストローク付きモーター本体で自動制御し圧力押付け面の加重測定を自動的にできるようにし、加重にバラ付きが発生し計測誤差が生じないようにした。また圧電素子にあたる振動子の圧電素子の押し込みや跳ね返りを軽減する為に、振動子ホルダー本体に設けてあるプッシャ−ピンからのプッシャスプリングと圧電セラミック振動子に設けた振動子ホルダースプリングを設け振動子外筒ホルダーに装着し問題点を解決している小型ストローク制御方式硬度計測用プローブである。
【考案の効果】
【０００５】  上述の様に、ストロークジョイントのストローク位置をストローク付きモーター本体で自動制御し圧力押付け面の加重測定を自動的にできるようにした。またプッシャスプリングと圧電セラミック振動子に設けた振動子ホルダースプリングを設けたことによりジョイントストロークのストローク押し圧荷重をかけるとき振動子にバックラッシュなどが発生し測定の精度が変動する事を軽減できるため測定用途が広がり効果的な硬度計測ができる
【考案を実施するための最良の形態】
【０００６】  以下本考案の実施の形態について説明する。
（イ）発信回路付きセンサー筺本体（１）の後部側にストローク付きモーター本体（２）を設け、発信回路付きセンサー筺本体（１）の前部側に圧力センサーホルダー本体（５）と圧電セラミック振動子（６）を備えた振動子外筒ホルダー（７）を設ける。
（ロ）振動子外筒ホルダー（７）の内部に振動子ホルダー本体（８）に圧力センサー信号線（１０）を通す信号線孔（９）（９）を設け、振動子ホルダー本体（８）の前部側に振動子ホルダー（１２）を嵌入した振動子ジョイントホルダー（１１）を設け、振動子ホルダー（１２）と振動子ジョイントホルダー（１１）に嵌通するように振動子ホルダースプリング（１３）を設け、振動子ホルダー本体（８）の後部側にプッシャ−ピン（１６）を冠着するように設けたプッシャーホルダー（１５）をプッシャージョイントホルダー（１４）に嵌入するように設け、プッシャ−ピン（１６）の冠着したプッシャーホルダー（１５）に嵌通するようにプッシャスプリング（１７）を設け、振動子外筒ホルダー（７）に嵌合するように設ける。
（ハ）振動子外筒ホルダー（７）の先端部に設けた圧電セラミック振動子（６）の前面部に先端部筒（１８）を嵌合するように設け、先端部筒（１８）を振動子外筒ホルダー（７）と固定するように設ける。
（ニ）圧力センサー本体（２２）の上部に圧力センサー信号線（２４）を通す信号線ホルダ（３３）を設け、圧力センサー本体（２２）の正面に圧力押付け面（２３）を設けた圧力センサー本体（２２）を圧力センサーホルダー凹部（２０）内部に係止するように設け、圧力センサーホルダー本体（５）に設けた圧力センサーホルダー凹部（２０）に振動子外筒ホルダー（７）に設けた圧力センサーホルダー凸部（１９）を嵌合するように設ける。
（ホ）ストロークモーター信号配線（２５）を備えたストローク付きモーター本体（２）に設けてある止め受けネジ部（３）に締付けナット（２７）を持って発信回路付きセンサー筺本体（１）に固定させる。
（ヘ）ストローク付きモーター本体（２）に設けてあるジョイントストローク（４）のジョイントネジ溝部（２６）にジョイント止めネジ孔（２９）にワッシャー（３１）並びに止めネジ（３２）をストロークモータージョイントホルダ（２８）を継合するように設ける。
（ト）圧力センサーホルダー本体（５）に設けてあるジョイント凸部（２１）をストロークモータージョイントホルダ（２８）に設けてあるジョイント凹部（３０）に嵌合するように装着する。
本考案は、以上の構造でこれを使用するときは、硬度測定取り付け器具（３８）に発信回路付きセンサー筺本体（１）を保持されるように固定し、測定台（３９）に測定する物質をのせてストロークジョイント（４）のストローク位置をストローク付きモーター本体（２）で自動制御をおこないながらストロークジョイント（４）からの圧力押付け面（２３）を通じプッシャ−ピン（１６）から圧電セラミック振動子（６）に荷重をかけてそのデーターを圧力センサー信号線（１０）から圧力センサーケーブル（２４）を通し制御ＢＯＸに伝え圧力センサー本体（２２）に感知したデーターは制御ＢＯＸを通し電気信号としてデーター読取り信号ケーブルを通し出力され、データー読取り装置具（３５）などで記録され硬度計測を行う。
【図面の簡単な説明】
【００７】
【図１】  本考案の斜視図
【図２】  本考案の使用状態を示す斜視図
【図３】  本考案の実施状態を示す斜視図
【図４】  本考案の実施状態を示す斜視図
【図５】  本考案の実施状態を示す斜視図
【図６】  本考案の実施状態を示す斜視図
【図７】  本考案の実施状態を示す部分拡大斜視図
【図８】  本考案の実施状態を示す斜視図
【図９】  本考案の使用実施状態を示す配線図面
【図１０】  本考案の使用実施状態を示す写真図
【符号の説明】
【００８】    １    発信回路付きセンサー筺本体
２    ストローク付きモーター本体
３    止め受けネジ部
４    ストロークジョイント
５    圧力センサーホルダー本体
６    圧電セラミック振動子
７    振動子外筒ホルダー
８    振動子ホルダー本体
９    信号線孔
１０    圧力センサー信号線
１１    振動子ジョイントホルダー
１２    振動子ホルダー
１３    振動子ホルダースプリング
１４    プッシャージョイントホルダー
１５    プッシャーホルダー
１６    プッシャ−ピン
１７    プッシャスプリング
１８    先端部筒
１９    圧力センサーホルダー凸部
２０    圧力センサーホルダー凹部
２１    ジョイント凸部
２２    圧力センサー本体
２３    圧力押付け面
２４    圧力センサーケーブル
２５    ストロークモーター信号配線
２６    ジョイントネジ溝部
２７    締付けナット
２８    ストロークモータージョイントホルダ
２９    ジョイント止めネジ孔
３０    ジョイント凹部
３１    ワッシャー
３２    止めネジ
３３    信号線ホルダー
３４    制御ＢＯＸ
３５    データー読取り装置具
３６    ストローク信号ケーブル
３７    データー読取り信号ケーブル
３８    硬度測定取り付け器具
３９    測定台
【図１】
0003137132.tif 000003
【図２】
0003137132.tif 000004
【図３】
0003137132.tif 000005
【図４】
0003137132.tif 000006
【図５】
0003137132.tif 000007
【図６】
0003137132.tif 000008
【図７】
0003137132.tif 000009
【図８】
0003137132.tif 000010
【図９】
0003137132.tif 000011
【図１０】
0003137132.tif 000012